【手続補正書】
【提出日】平成23年8月1日(2011.8.1)
【手続補正１】
【補正対象書類名】明細書
【補正対象項目名】００８７
【補正方法】変更
【補正の内容】
【００８７】
実施例１〜２
比較例Ａおよび実施例１〜２の試験結果を表１において提示している。示したように、難燃添加剤は、低い０．５％添加剤レベルでさえ、ポリトリメチレンテレフタレートの難燃性を改善した。
【表１】
2010535898.tif 000001
【手続補正２】
【補正対象書類名】明細書
【補正対象項目名】００８８
【補正方法】変更
【補正の内容】
【００８８】
以上、本発明を要約すると下記のとおりである。
１．（ａ）（樹脂成分の質量を基準にして）少なくとも約７０質量％のポリトリメチレンテレフタレートを含む（全組成物質量を基準にして）約７５〜約９９．９質量％の樹脂成分と、
（ｂ）（全組成物質量を基準にして）難燃添加剤として約０．０２〜約５質量％のフッ素化スルホネート塩を含む（全組成物質量を基準にして）約０．０２〜約２５質量％の添加剤パッケージと
を含むポリトリメチレンテレフタレートベースの組成物。
２．フッ素化スルホネート塩が式（Ｉ）
Ｍ＋Ｑ−      （Ｉ）
［式中、Ｍ＋は、リチウム、ナトリウム、カリウム、セシウム、ピリジニウム、ピリダジニウム、ピリミジニウム、ピラジニウム、イミダゾリウム、ピラゾリウム、チアゾリウム、オキサゾリウム、トリアゾリウム、ホスホニウム（phosphium）およびアンモニウムからなる群から選択されるカチオンであり、Ｑ−は、式（ＩＩ）および式（ＩＩＩ）
【化１５】
2010535898.tif 000002
（式中、
Ｒ１１およびＲ１２の各々は、独立して、
（１）ハロゲン、
（２）−ＣＨ３、−Ｃ２Ｈ５、または場合によりＣｌ、Ｂｒ、Ｉ、ＯＨ、ＮＨ２およびＳＨからなる群から選択された少なくとも１つのメンバーで置換されるＣ３〜Ｃ１５直鎖もしくは分岐のアルカンもしくはアルケン
（３）−ＯＣＨ３、−ＯＣ２Ｈ５、または場合によりＣｌ、Ｂｒ、Ｉ、ＯＨ、ＮＨ２およびＳＨからなる群から選択された少なくとも１つのメンバーで置換されるＣ３〜Ｃ１５直鎖もしくは分岐のアルコキシ、
（４）場合によりＣｌ、Ｂｒ、Ｉ、ＯＨ、ＮＨ２およびＳＨからなる群から選択された少なくとも１つのメンバーで置換されるＣ１〜Ｃ１５直鎖または分岐のフルオロアルキル、（５）場合によりＣｌ、Ｂｒ、Ｉ、ＯＨ、ＮＨ２およびＳＨからなる群から選択された少なくとも１つのメンバーで置換されるＣ１〜Ｃ１５直鎖または分岐のフルオロアルコキシ、
（６）Ｃ１〜Ｃ１５直鎖または分岐のパーフルオロアルキル、および
（７）Ｃ１〜Ｃ１５直鎖または分岐のパーフルオロアルコキシ
からなる群から選択される）
からなる群から選択されるアニオンである］
の塩である上記１に記載のポリトリメチレンテレフタレートベースの組成物。
３．Ｍ＋が、
（ｉ）式（ＩＶ）のピリジニウムカチオン
【化１６】
2010535898.tif 000003
（ｉｉ）式（Ｖ）のピリダジニウムカチオン
【化１７】
2010535898.tif 000004
（ｉｉｉ）式（ＶＩ）のピリミジニウムカチオン
【化１８】
2010535898.tif 000005
（ｉｖ）式（ＶＩＩ）のピラジニウムカチオン
【化１９】
2010535898.tif 000006
（ｖ）式（ＶＩＩＩ）のイミダゾリウムカチオン
【化２０】
2010535898.tif 000007
（ｖｉ）式（ＩＸ）のピラゾリウムカチオン
【化２１】
2010535898.tif 000008
（ｖｉｉ）式（Ｘ）のチアゾリウムカチオン
【化２２】
2010535898.tif 000009
（ｖｉｉｉ）式（ＸＩ）のオキサゾリウムカチオン
【化２３】
2010535898.tif 000010
（ｉｘ）式（ＸＩＩ）のトリアゾリウムカチオン
【化２４】
2010535898.tif 000011
（ｘ）式（ＸＩＩＩ）のホスホニウムカチオン
【化２５】
2010535898.tif 000012
および（ｘｉ）式（ＸＩＶ）のアンモニウムカチオン
【化２６】
2010535898.tif 000013
（式中、
Ｒ１、Ｒ２、Ｒ３、Ｒ４、Ｒ５およびＲ６は、それぞれ独立して、
（ａ）Ｈ、
（ｂ）ハロゲン、
（ｃ）−ＣＨ３、−Ｃ２Ｈ５、または場合によりＣｌ、Ｂｒ、Ｆ、Ｉ、ＯＨ、ＮＨ２およびＳＨからなる群から選択された少なくとも１つのメンバーで置換されるＣ３〜Ｃ２５直鎖、分岐もしくは環式のアルカンもしくはアルケン、
（ｄ）Ｏ、Ｎ、ＳｉおよびＳからなる群から選択された１〜３個のヘテロ原子を含み、場合によりＣｌ、Ｂｒ、Ｆ、Ｉ、ＯＨ、ＮＨ２およびＳＨからなる群から選択された少なくとも１つのメンバーで置換されるＣ３〜Ｃ２５環式アルカンまたは環式アルケン、
（ｅ）Ｃ６〜Ｃ２５非置換アリール、またはＯ、Ｎ、ＳｉおよびＳからなる群から独立して選択された１〜３個のヘテロ原子を有するＣ６〜Ｃ２５非置換ヘテロアリール、
（ｆ）Ｃ６〜Ｃ２５置換アリール、またはＯ、Ｎ、ＳｉおよびＳからなる群から独立して選択された１〜３個のヘテロ原子を有するＣ６〜Ｃ２５置換ヘテロアリール
からなる群から選択され、ここで該置換アリールまたは該置換ヘテロアリールは、
（１）−ＣＨ３、−Ｃ２Ｈ５、または場合によりＣｌ、Ｂｒ、Ｆ、Ｉ、ＯＨ、ＮＨ２およびＳＨからなる群から選択された少なくとも１つのメンバーで置換されるＣ３〜Ｃ２５直鎖、分岐もしくは環式のアルカンもしくはアルケン
（２）ＯＨ
（３）ＮＨ２、および
（４）ＳＨ
からなる群から独立して選択された１〜３個の置換基を有し、
Ｒ７、Ｒ８、Ｒ９およびＲ１０は、それぞれ独立して、
（ｇ）−ＣＨ３、−Ｃ２Ｈ５、または場合によりＣｌ、Ｂｒ、Ｆ、Ｉ、ＯＨ、ＮＨ２およびＳＨからなる群から選択された少なくとも１つのメンバーで置換されるＣ３〜Ｃ２５直鎖、分岐もしくは環式のアルカンもしくはアルケン
（ｈ）Ｏ、Ｎ、ＳｉおよびＳからなる群から選択された１〜３個のヘテロ原子を含み、場合によりＣｌ、Ｂｒ、Ｆ、Ｉ、ＯＨ、ＮＨ２およびＳＨからなる群から選択された少なくとも１つのメンバーで置換されるＣ３〜Ｃ２５環式アルカンもしくは環式アルケン
（ｊ）Ｃ６〜Ｃ２５非置換アリール、またはＯ、Ｎ、ＳｉおよびＳからなる群から独立して選択された１〜３個のヘテロ原子を有するＣ６〜Ｃ２５非置換ヘテロアリール
（ｋ）Ｃ６〜Ｃ２５置換アリール、またはＯ、Ｎ、ＳｉおよびＳからなる群から独立して選択された１〜３個のヘテロ原子を有するＣ６〜Ｃ２５置換ヘテロアリール
からなる群から選択され、ここで該置換アリールまたは該置換ヘテロアリールは、
（１）−ＣＨ３、−Ｃ２Ｈ５、または場合によりＣｌ、Ｂｒ、Ｆ、Ｉ、ＯＨ、ＮＨ２およびＳＨからなる群から選択された少なくとも１つのメンバーで置換されるＣ３〜Ｃ２５直鎖、分岐もしくは環式のアルカンもしくはアルケン
（２）ＯＨ
（３）ＮＨ２、および
（４）ＳＨ
からなる群から独立して選択される１〜３個の置換基を有し、
そして、ここで場合により、Ｒ１、Ｒ２、Ｒ３、Ｒ４、Ｒ５、Ｒ６、Ｒ７、Ｒ８、Ｒ９およびＲ１０の少なくとも２個は一緒になって環式または二環式のアルカニル基またはアルケニル基を形成する）
からなる群から選択される請求項２に記載のポリトリメチレンテレフタレートベースの組成物。
４．Ｑ−が、フルオロアルキルスルホニルおよびビス（フルオロアルキルスルホニル）イミドのアニオンからなる群から選択される上記２に記載のポリトリメチレンテレフタレートベースの組成物。
５．Ｑ−が、フルオロアルキルスルホニルアニオンおよびビス（フルオロアルキルスルホニル）イミドアニオンからなる群から選択される上記３に記載のポリトリメチレンテレフタレートベースの組成物。
６．添加剤パッケージが、（全組成物質量を基準にして）約０．１〜約１質量％のフッ素化スルフェート塩を含む上記１に記載のポリトリメチレンテレフタレートベースの組成物。
７．添加剤パッケージが、（全組成物質量を基準にして）約０．５〜約１質量％のフッ素化スルフェート塩を含む上記１に記載のポリトリメチレンテレフタレートベースの組成物。
８．ポリトリメチレンテレフタレートが、テレフタル酸または酸等価体と１，３−プロパンジオールの重縮合によって製造されるタイプのものである上記１に記載のポリトリメチレンテレフタレートベースの組成物。
９．１，３−プロパンが生物学的に誘導された１，３−プロパンジオールである上記８に記載のポリトリメチレンテレフタレートベースの組成物。
１０．ポリトリメチレンテレフタレートがポリトリメチレンテレフタレートホモポリマーである上記１に記載のポリトリメチレンテレフタレートベースの組成物。
１１．樹脂成分が別のポリマーを含む上記１に記載のポリトリメチレンテレフタレートベースの組成物。
１２．樹脂成分がポリエチレンテレフタレートを含む上記１１に記載のポリトリメチレンテレフタレートベースの組成物。
１３．樹脂成分がポリブチレンテレフタレートを含む上記１１に記載のポリトリメチレンテレフタレートベースの組成物。
１４．樹脂成分がナイロンを含む上記１１に記載のポリトリメチレンテレフタレートベースの組成物。
１５．添加剤パッケージがＴｉＯ２を含む上記１に記載のポリトリメチレンテレフタレートベースの組成物。
１６．上記１に記載のポリトリメチレンテレフタレートベースの組成物を調製する方法であって、
（ａ）フッ素化スルフェート塩およびポリトリメチレンテレフタレートを備える工程と、（ｂ）該ポリトリメチレンテレフタレートと該フッ素化スルフェート塩を混合して、混合物を形成する工程と、
（ｃ）該混合物を攪拌しつつ加熱し、ブレンドして、組成物を形成する工程と
を含む方法。
１７．工程（ｃ）が約１８０℃〜約２７０℃で行われる上記１６に記載の方法。
１８．上記１に記載のポリトリメチレンテレフタレートベースの組成物から製造された物品。
１９．繊維の形態にある上記１８に記載の物品。
【手続補正３】
【補正対象書類名】特許請求の範囲
【補正対象項目名】全文
【補正方法】変更
【補正の内容】
【特許請求の範囲】
【請求項１】
（ａ）（樹脂成分の質量を基準にして）少なくとも約７０質量％のポリトリメチレンテレフタレートを含む（全組成物質量を基準にして）約７５〜約９９.９質量％の樹脂成分と、
（ｂ）（全組成物質量を基準にして）難燃添加剤として約０.０２〜約５質量％のフッ素化スルホネート塩を含む（全組成物質量を基準にして）約０.０２〜約２５質量％の添加剤パッケージと
を含むポリトリメチレンテレフタレートベースの組成物。